(57)【要約】【課題】カード着脱操作を確実に検出しスイッチの安定した電気的接続を得ることができること。【解決手段】押圧されたコンタクト片３４の可動接点がコンタクト片３６の固定接点に当接すると同時に、蓋部材２６の操作部２６６が回動された後、その先端部が筐体９００の開口部９０１を通じて外部に突出せしめられる。そして、蓋部材２６の操作部２６６が操作者により把持されイジェクトレバー部材１６および第１のカード７００を伴って引き出される場合、イジェクトレバー部材１６の連結部がスイッチ作動部材３２に対し離隔されても、押圧されたコンタクト片３４の可動接点がコンタクト片３６の固定接点に当接する状態が、確実に保持されることとなる。【選択図】図１
2013222690.tif 000002
【特許請求の範囲】
【請求項１】
少なくとも１種類のカードを着脱可能に収容するカード収容部を有するハウジング部と、
前記ハウジングに配され装着されたカードに係合するとともに前記カードの着脱方向に移動可能なイジェクトレバー部材と、該イジェクトレバー部材の端部に対し回動可能に連結される蓋部材とを含んで構成されるイジェクト機構と、
前記蓋部材の移動に連動するスイッチ作動部材により、作動状態とされる一対のコンタクト片を含むカード着脱操作検出スイッチと、を備え、
前記カード着脱操作検出スイッチの一対のコンタクト片が前記スイッチ作動部材により作動状態とされる場合、前記蓋部材が操作されイジェクトレバー部材によってカードが排出されるとき、前記スイッチ作動部材により前記作動状態が保持されることを特徴とするスイッチ付きカードコネクタ。
【請求項２】
前記蓋部材が操作されイジェクトレバー部材によりカードが排出されるとき、前記蓋部材の操作部が、前記カードの着脱方向に対し直交する方向に移動可能とされる第１の位置と、前記イジェクトレバー部材の端部に対し回動され前記カードの着脱方向に沿う第２の位置との間を移動することを特徴とする請求項１記載のスイッチ付きカードコネクタ。
【請求項３】
前記ハウジング部は、該ハウジング部に対し前記蓋部材のロック部をロック状態またはアンロック状態とする第１のロック片を備えることを特徴とする請求項１または請求項２記載のスイッチ付きカードコネクタ。
【請求項４】
前記スイッチ作動部材は、前記ハウジング部の第２のロック片に係合される凹部を有することを特徴とする請求項１乃至請求項３のうちのいずれかに記載のスイッチ付きカードコネクタ。
【請求項５】
前記スイッチ作動部材は、前記カード着脱操作検出スイッチの一対のコンタクト片のうち一方のコンタクト片の被係止部を係止する係止部を有することを特徴とする請求項１乃至請求項４のうちのいずれかに記載のスイッチ付きカードコネクタ。
【請求項６】
前記ハウジング部は、２種類のＩＣカードを着脱可能に収容するカード収容部を有し、前記蓋部材は、前記カード収容部の２種類のＩＣカードに対応する各カードスロットに向かい合うように配されることを特徴とする請求項１乃至請求項５のうちのいずれかに記載のスイッチ付きカードコネクタ。
【請求項７】
第１のカードを着脱可能に収容する請求項１記載の第１のスイッチ付きカードコネクタと、
第２のカードを着脱可能に収容する第２のカードコネクタと、
前記第１のスイッチ付きカードコネクタの実装面と前記第１のスイッチ付きカードコネクタの実装面に相対向する前記第２のカードコネクタの実装面を有するプリント基板とを備え、
前記第１のスイッチ付きカードコネクタの蓋部材は、前記第１のスイッチ付きカードコネクタのカードスロットおよび前記第２のカードコネクタのカードスロットに向かい合うように配されることを特徴とするカードコネクタユニット。
【発明の詳細な説明】
【技術分野】
【０００１】
本発明は、スイッチ付きカードコネクタ、および、そのカードコネクタを用いたカードコネクタユニットに関する。
【背景技術】
【０００２】
携帯電話機等の内部に配置されるカードコネクタにおいては、例えば、ＳＩＭ（Ｓｕｂｓｃｒｉｂｅｒ  Ｉｄｅｎｔｉｔｙ  Ｍｏｄｕｌｅ）カードが装着されるものが実用に供されている。そのようなカードコネクタからＳＩＭカード等を取り外す場合、そのカード内に記録されたデータの破損および携帯電話機の故障の原因となることを回避するために携帯電話機の電源を一旦、オフ状態とすることが必要とされる。このような必要性に応じて携帯電話機等においては、ＳＩＭカードが、バッテリーが取り外された後でなければカードコネクタから取り出せない構造、例えば、ＳＩＭカードおよびカードコネクタが、携帯電話機におけるバッテリーの下方の位置に収容される構造が採用されている。
【０００３】
一方、ＳＩＭカードおよびカードコネクタが、バッテリーの下方の位置に収容される構造を備える携帯電話機において、例えば、特許文献１にも示されるように、電源をオン状態に維持し電子機器の通信システム等を中断させることなく、ホットスワップ（ｈｏｔ−ｓｗａｐ）制御により、カード等を交換可能としたものも提案されている。このようなカードコネクタにおいては、ホットスワップ制御部に検出出力を供給するカード着脱操作検出部を備えている。カード着脱操作検出部は、イジェクト部材の操作部の引き出し操作を選択的に規制する操作ボタンと、カードを排出するイジェクト部材に隣接して弾性変位可能に配され操作ボタンに連結される第１の検出用接触片部と、第１の検出用接触片部の接点部に一端が選択的に当接する第２の検出用接触片部とを含んで構成されている。これにより、カードが排出されるとき、操作ボタンが操作されることにより、第２の検出用接触片部の一端が第１の検出用接触片部の接点部に当接することにより、検出出力がホットスワップ制御部に供給されることとなる。
【０００４】
また、カードコネクタにおいては、例えば、特許文献２にも示されるように、カードの排出機構における排出レバーの一端に回動可能に設けられる先端部が、カードの排出操作を検出する検出スイッチを選択的に押圧する構成が提案されている。斯かる構成においては、検出スイッチからの排出レバーが排出可能位置に移動したことをあらわす検出出力が演算処理装置に供給されることにより、カードへの電力供給が停止される。
【先行技術文献】
【特許文献】
【０００５】
【特許文献１】特開２００８−１６２２３号公報
【特許文献２】特開２０００−２８５２０４号公報
【発明の概要】
【発明が解決しようとする課題】
【０００６】
携帯電話機等においては、バッテリー交換が不要とされる機器も実用に供されている。このような機器においては、カードの排出のとき、カードを保護するために上述したようなカード着脱操作検出部または検出スイッチを備えることが必要とされることとなる。
【０００７】
しかしながら、上述のような操作ボタンまたは排出レバーの一端に回動可能に設けられる先端部は、所定位置に機械的に確実に固定されないのでカードが取り出される以前において例えば、第１の検出用接触片部の接点部と第２の検出用接触片部の一端とが当接した状態で確実に保持されず安定した電気的接続が得られない虞がある。
【０００８】
以上の問題点を考慮し、本発明は、スイッチ付きカードコネクタ、および、そのカードコネクタを用いたカードコネクタユニットであって、カード着脱操作を確実に検出しスイッチの安定した電気的接続を得ることができるスイッチ付きカードコネクタ、および、そのカードコネクタを用いたカードコネクタユニットを提供することを目的とする。
【課題を解決するための手段】
【０００９】
上述の目的を達成するために、本発明に係るスイッチ付きカードコネクタは、少なくとも１種類のカードを着脱可能に収容するカード収容部を有するハウジング部と、ハウジングに配され装着されたカードに係合するとともにカードの着脱方向に移動可能なイジェクトレバー部材と、イジェクトレバー部材の端部に対し回動可能に連結される蓋部材とを含んで構成されるイジェクト機構と、蓋部材の移動に連動するスイッチ作動部材により、作動状態とされる一対のコンタクト片を含むカード着脱操作検出スイッチと、を備え、カード着脱操作検出スイッチの一対のコンタクト片が前記スイッチ作動部材により作動状態とされる場合、蓋部材が操作されイジェクトレバー部材によってカードが排出されるとき、スイッチ作動部材により作動状態が保持されることを特徴とする。
【００１０】
また、蓋部材が操作されイジェクトレバー部材によりカードが排出されるとき、蓋部材の操作部が、カードの着脱方向に対し直交する方向に移動可能とされる第１の位置と、イジェクトレバー部材の端部に対し回動されカードの着脱方向に沿う第２の位置との間を移動するものでもよい。ハウジング部は、ハウジング部に対し蓋部材のロック部をロック状態またはアンロック状態とする第１のロック片を備えるものでもよい。
【００１１】
スイッチ作動部材は、ハウジング部の第２のロック片に係合される凹部を有するものでもよい。スイッチ作動部材は、カード着脱操作検出スイッチの一対のコンタクト片のうち一方のコンタクト片の被係止部を係止する係止部を有するものでもよい。
【００１２】
さらに、ハウジング部は、２種類のカードを着脱可能に収容するカード収容部を有し、蓋部材は、カード収容部の２種類のカードに対応する各カードスロットに向かい合うように配されてもよい。
【００１３】
さらにまた、本発明に係るカードコネクタユニットは、第１のカードを着脱可能に収容する上述の第１のスイッチ付きカードコネクタと、第２のカードを着脱可能に収容する第２のカードコネクタと、第１のスイッチ付きカードコネクタの実装面と第１のスイッチ付きカードコネクタの実装面に相対向する第２のカードコネクタの実装面を有するプリント基板とを備え、第１のスイッチ付きカードコネクタの蓋部材は、第１のスイッチ付きカードコネクタのカードスロットおよび第２のカードコネクタのカードスロットに向かい合うように配されることを特徴とする。
【発明の効果】
【００１４】
本発明に係るスイッチ付きカードコネクタ、および、そのカードコネクタを用いたカードコネクタユニットによれば、カード着脱操作検出スイッチの一対のコンタクト片が前記スイッチ作動部材により作動状態とされる場合、蓋部材が操作されイジェクトレバー部材に保持されたカードが排出されるとき、スイッチ作動部材により作動状態が保持されるのでカード着脱操作を確実に検出しスイッチの安定した電気的接続を得ることができる。
【図面の簡単な説明】
【００１５】
【図１】本発明に係るスイッチ付きカードコネクタの一例の要部を拡大して示す斜視図である。
【図２】（Ａ）および（Ｂ）は、それぞれ、本発明に係るスイッチ付きカードコネクタの一例の構成を概略的に示す平面図である。
【図３】図２（Ａ）および（Ｂ）に示される例を備えるカードコネクタユニットにおいて、カードとともに示す正面図である。
【図４】図２（Ａ）および（Ｂ）に示される例を備えるカードコネクタユニットにおいて、カードとともに示す斜視図である。
【図５】図２（Ａ）に示される例において、部分的に拡大して示す斜視図である。
【図６】（Ａ）は、図２（Ａ）に示される例に用いられるスイッチ作動部材の平面図であり、（Ｂ）は、（Ａ）の右側面図である。
【図７】（Ａ）および（Ｂ）は、図２（Ａ）および（Ｂ）に示される例における動作説明に供される斜視図である。
【図８】（Ａ），（Ｂ）、（Ｃ）、および（Ｄ）は、それぞれ、図２（Ａ）および（Ｂ）に示される例における動作説明に供される斜視図である。
【図９】図１に示される例において部分的に拡大して示す斜視図である。
【図１０】図２（Ａ）および（Ｂ）に示される例における変形例を示す平面図である。
【図１１】図２（Ａ）および（Ｂ）に示される例において用いられるロック片およびロック部の他の一例を、ロック状態で拡大して示す斜視図である。
【図１２】図２（Ａ）および（Ｂ）に示される例において用いられるロック片およびロック部の他の一例を、アンロック状態で拡大して示す斜視図である。
【図１３】図２（Ａ）および（Ｂ）に示される例において用いられるロック片およびロック部の他の一例を、ロック状態で部分的に拡大して示す斜視図である。
【図１４】本発明に係るスイッチ付きカードコネクタの他の一例の外観を示す斜視図である。
【図１５】（Ａ）は、図１４に示される例における正面図であり、（Ｂ）は、図１４に示される例において、各カードとともに示す正面図である。
【発明を実施するための形態】
【００１６】
図２（Ａ）および（Ｂ）に示されるスイッチ付きカードコネクタを備えるカードコネクタユニットは、所定の電子機器、例えば、携帯電話機の筐体９００の内部に配される所定のプリント基板１４（図３参照）に設けられる。なお、カードコネクタユニットは、斯かる例に限られることなく、例えば、携帯式音響機器，プリンタ、デジタルカメラ等の他の電子機器に設けられてもよい。
【００１７】
カードコネクタユニットは、図３および図４に示されるように、例えば、第１のカードとしてのＳＩＭカード７００（以下、第１のカード７００ともいう）を第１のカード収容部に装着可能とされる第１のスイッチ付きカードコネクタ１０と、第２のカードとしてのマイクロＳＤカード８００（以下、第２のカード８００ともいう）が、第２のカード収容部に装着可能とされる第２のカードコネクタ２０と、第１のカードコネクタ１０と第２のカードコネクタ２０とがそれぞれ実装される実装面１４Ａおよび１４Ｂを有するプリント基板１４とを主な要素として含んで構成される。
【００１８】
第１のカード７００および第２のカード８００の一方の表面部には、複数の電極部が形成されている。
【００１９】
第１のスイッチ付きカードコネクタ１０は、図３および図４に示されるように、第１のカード７００の電極部とプリント基板１４の一方の実装面１４Ａに形成される接続端子部とを電気的に接続するものとされる。
【００２０】
第２のカードコネクタ２０は、図３および図４に示されるように、プリント基板１４の一方の実装面１４Ａに相対向するプリント基板１４の他方の実装面１４Ｂに形成される接続端子部と第２のカード８００の電極部とを電気的に接続するものとされる。
【００２１】
第１のカード７００、および、第２のカード８００は、それぞれ、例えば、筐体９００の外周面に対し直交する方向、即ち、図２（Ａ）に示される直交座標におけるＸ座標軸に沿って第１のスイッチ付きカードコネクタ１０または第２のカードコネクタ２０に着脱可能に収納される。
【００２２】
第１のスイッチ付きカードコネクタ１０は、図３に示されるように、上述の第１のカード収容部を形成するベース部材１４およびカバー部材１１と、を主な要素として含んで構成されている。
【００２３】
カバー部材１１は、例えば、導電性材料である薄板金属材料でプレス加工によりその３辺が折り曲げられて作られ、門形の断面形状を有している。カバー部材１１は、それぞれベース部材１２の凹部を覆うように固定され、第１のカード収容部１３０（図８（Ｄ）参照）を形成している。これにより、カバー部材１１と、ベース部材１２とにより、ハウジング部が形成される。カード収容部１３０の一端部には、第１のカード７００の着脱のとき、第１のカード７００が通過するカードスロットが形成されている。第１のカード収容部のカードスロットおよび後述する第２のカード収容部のカードスロットは、図３に拡大されて示されるように、筐体９００の外周面に形成される開口部９０１に向かい合っている。開口部９０１の開口面積は、第１のカード収容部のカードスロットの開口面積と後述する第２のカード収容部のカードスロットの開口面積とを加えた値よりも大に設定されている。
【００２４】
カバー部材１１は、その両側面部がベース部材１２の両側面部に係合するように折り曲げられている。カバー部材１１の上面部には、図２（Ａ）に示されるように、Ｙ座標軸に沿って所定の間隔で二列に矩形状の透孔１０２が６箇所に形成されている。さらに、図２（Ａ）においてカバー部材１１には、カード収容部１３０の内側に向けて突出するように折り曲げられたガイド片１０７が形成されている。ガイド片１０７は、第１のカード７００の一方の側面部を案内するように形成されている。
【００２５】
カバー部材１１の上面部におけるカードスロットを形成する端部には、鉤状の先端部を有する第１のロック片１０８が形成されている。第１のロック片１０８は、図２（Ａ）においてＸ座標軸に沿って、カードスロットを形成する端部から突出している。第１のロック片１０８は、後述する蓋部材２６のロック部２６２をロック状態、あるいは、アンロック状態とする。
【００２６】
カバー部材１１の上面部における上述の第１のロック片１０８よりもさらに右側の側面部近傍には、第２のロック片１０６が一体に形成されている。第２のロック片１０６の周縁には、開口部が形成されている。第２のロック片１０６は、図２（Ａ）においてＹ座標軸に沿って延在している。第２のロック片１０６は、弾性変位可能とされ、その先端部が後述するスイッチ作動部材３２の窪み３２１に係合することにより、後述するスイッチ作動部材３２を保持するものとされる。
【００２７】
ベース部材１４は、例えば、樹脂材料で成形されており、図８（Ｄ）に示されるように、カード収容部１３０を備えている。カード収容部１３０は、互いに略平行に形成される側壁１２２、および、側壁１２４と、側壁１２２と側壁１２４とを連結する底面部とにより囲まれることにより一部が構成されている。側壁１２４の一端部には、装着される第１のカード７００の端部を位置決めする壁部１２６が形成されている。
【００２８】
底面部には、第１のカード７００の電極部に対応した間隔で複数のコンタクト端子３０がインサート成形により設けられている。コンタクト端子３０の半田付け端子部は、底面部における端部から外部に突出している。一方、各コンタクト端子３０の接点部は、その底面部の開口部を介して底面部とカバー部材１１の内周面との間に弾性変位可能に配されている。これにより、各コンタクト端子３０の接点部と上述の第１のカード７００の電極部との接触圧力により、第１のカード７００は、カード収容部１３０内に保持されることとなる。
【００２９】
側壁１２２は、図１に部分的に拡大されて示されるように、後述するイジェクトレバー部材１６を摺動可能に案内するガイド壁１２３をカードスロット近傍に有している。また、側壁１２２における上述の壁部１２６に向かい合う端部には、第１のカード７００がカード収容部１３０に装着された場合、イジェクトレバー部材１６のＬ字状端部１６４を位置決めする壁部を有している。
【００３０】
側壁１２２におけるガイド壁１２３の外周部には、カード着脱操作検出スイッチが設けられている。カード着脱操作検出スイッチは、ガイド壁１２３と一体に成形される検出スイッチハウジング部１２８内に収容されている。
【００３１】
カード着脱操作検出スイッチは、可動接点を有するコンタクト片３４と、固定接点を有するコンタクト片３６とから構成されている。カード着脱操作検出スイッチにおけるコンタクト片３６は、プリント基板１４に形成されるホットスワップ制御回路（不図示）におけるグランドラインに接続されている。コンタクト片３４は、ホットスワップ制御回路における信号ラインに接続されている。コンタクト片３４は、可動接点に連なり折れ曲がった被係止部３４２を有し、その可動接点が弾性変位可能となるように検出スイッチハウジング部１２８に支持されている。これにより、図１に示されるように、コンタクト片３４の可動接点がコンタクト片３６の固定接点に当接されることにより、例えば、第１のカード７００へのアクセスの禁止をあらわすハイレベルの信号がホットスワップ制御回路に供給されることとなる。
【００３２】
検出スイッチハウジング部１２８における底部には、後述するスイッチ作動部材３２を案内する案内溝１２７がＹ座標軸に沿って形成されている。
【００３３】
スイッチ作動部材３２は、例えば、樹脂材料で成形され、図６（Ａ）および（Ｂ）に拡大されて示されるように、コンタクト片３４の被係止部３４２を係止する係止部３２２を一方の側面部に有する本体部３２４と、本体部３２４と一体に成形され後述する蓋部材２６の凹部２６７に嵌合される連結部３２６とを含んで構成されている。
【００３４】
本体部３２４の係止部３２２は、例えば、凹部を有している。また、本体部３２４においてカバー部材１１の内周面に向かい合う上面部には、窪み３２１が形成されている。これにより、上述の第２のロック片１０６が選択的に窪み３２１に係合される。窪み３２１の真下となる下部の位置には、上述の案内溝１２７に案内される突起部３２５が形成されている。突起部３２５は、Ｙ座標軸に沿って所定の長さだけ形成されている。本体部３２４の他方の側面部には、連結部３２６が一体に成形されている。連結部３２６は、後述する連結ピン１８の円形の頭部が係合される円弧面部３２８を有している。円弧面部３２８は、連結ピン１８の円形の頭部を保持するように凹状に形成されている。円弧面部３２８は、本体部３２４の他方の側面部に連なっている。
【００３５】
さらに、本発明に係るスイッチ付きカードコネクタの一例は、イジェクト機構を備えている。
【００３６】
イジェクト機構は、第１のカード７００をカード収容部１３０内に保持するとともに、装着された第１のカード７００を選択的に外部に向けて排出させるものとされる。
【００３７】
イジェクト機構は、装着される第１のカード７００を受け止め保持するイジェクトレバー部材１６と、イジェクトレバー部材１６の長孔１６２を介してイジェクトレバー部材１６に対し回動可能に連結される蓋部材２６とを含んで構成されている。
【００３８】
イジェクトレバー部材１６は、挿入された第１のカード７００における一方の側面に当接され上述のガイド壁１２３に摺動可能に案内される支持本体部１６６と、支持本体部１６６の一方の端部に連なるＬ字状端部１６４と、支持本体部１６６の他方の端部に連なる連結部とから構成されている。Ｌ字状端部１６４は、挿入された第１のカード７００における進行方向端部を受け止めるものとされる。
【００３９】
支持本体部１６６の他方の端部に連なる連結部は、図１および図９に拡大されて示されるように、長孔１６２を有している。長孔１６２は、図２（Ａ）においてＹ座標軸に沿って延びている。長孔１６２には、蓋部材２６の端部をこの連結部に連結する連結ピン１８がねじりバネ２４を介して挿入されている。連結ピン１８の端部の雄ねじ部には、締結用ナットが締結されている。ねじりバネ２４は、図５において矢印Ｅの示す方向、即ち、反時計回り方向に蓋部材２６を連結ピン１８の中心軸線の回りに回転させるように付勢している。
【００４０】
蓋部材２６は、イジェクトレバー部材１６の連結部が嵌合される連結端部２６８と、連結端部２６８に連なる操作部２６６とから構成されている。
【００４１】
蓋部材２６の連結端部２６８は、図５に拡大されて示されるように、イジェクトレバー部材１６の連結部の長孔１６２の周縁に対し摺動可能とされるとともに、回動可能に支持されている。
【００４２】
操作部２６６は、図５に示されるように、第１のカード７００および第２のカード８００のカードスロットからの飛び出しを規制する第１の位置と、図７（Ａ）および図９に示されるように、カードスロットから離隔した後、先端部が筐体９００の開口部９０１を通じて突出する第２の位置をとるものとされる。
【００４３】
操作部２６６の先端部近傍には、円弧状の切欠部２６４を有している。切欠部２６４は、例えば、ボールペンの先端部等が挿入可能な形状になっており、ボールペンの先端部等で操作部２６６を操作することが可能となる。また、操作部２６６の上面部における連結端部２６８に近い位置には、図１に拡大されて示されるように、図２（Ａ）においてＺ座標軸に沿って突出した矩形状のロック部２６２が形成されている。ロック部２６２は、図５に示されるように、第１のロック片１０８により、ロック状態、あるいは、図２（Ｂ）に示されるように、アンロック状態とされる。これにより、ロック部２６２が第１のロック片１０８によりロック状態とされる場合、蓋部材２６の操作部２６６が図２（Ａ）においてＹ座標軸に沿った第１の位置に保持される。これにより、操作部２６６が二つのカードスロットに向かい合うので第１のカード７００および第２のカード８００のカードスロットからの飛び出しが規制される。その際、図５に示されるように、操作部２６６においてロック部２６２に隣接して設けられる凹部２６７に、スイッチ作動部材３２の連結部３２６が嵌合されている。一方、ロック部２６２がアンロック状態とされる場合、図９に示されるように、蓋部材２６の操作部２６６が図２（Ａ）においてＸ座標軸に沿った位置まで回動された後、図７（Ａ）に示されるように、その先端部が筐体９００の開口部９０１を通じて外部に突出せしめられる。
【００４４】
第２のカードコネクタ２０は、第２のカード収容部を形成するベース部材２２およびカバー部材２１と、を主な要素として含んで構成されている。
【００４５】
上述のベース部材２２およびカバー部材２１により形成される第２のカード収容部内におけるベース部材２２の底部には、第２のカード８００の電極部に対応した間隔で複数のコンタクト端子２５が設けられている。また、図示が省略されるが、イジェクト機構がベース部材２２の底部に備えられている。これにより、第２のカード８００を装着するにあたっては、第２のカード８００の電極部側端部が、それぞれ、カードスロットを通じて第２のカード収容部に挿入された後、さらに押し込まれることにより、そのイジェクト機構により、保持されることとなる。
【００４６】
一方、第２のカード８００を取り外すにあたっては、第２のカード８００が、さらに押圧される場合、そのイジェクト機構のコイルスプリングの付勢力により、カードスロットを通じて外部に向けて自動的に排出されることとなる。
【００４７】
斯かる構成において、例えば、電力が装着された第１のカード７００に対し供給されている場合、装着された第１のカード７００が取り出されるとき、先ず、図２（Ｂ）および図８（Ｂ）に示されるように、蓋部材２６の操作部２６６が、矢印の示す方向に操作される。これにより、蓋部材２６のロック部２６２が第１のロック片１０８の弾性力に抗して強制的に第１のロック片１０８を押し上げることにより、蓋部材２６のロック部２６２がアンロック状態とされる。また、コンタクト片３４の被係止部３４２が、スイッチ作動部材３２の係止部３２２に係止される。従って、押圧されたコンタクト片３４の可動接点がコンタクト片３６の固定接点に当接するのでハイレベルの信号が所定のホットスワップ制御回路に供給されることとなる。即ち、所定のホットスワップ制御プログラムが実行される。その際、スイッチ作動部材３２は、第２のロック片１０６の先端部がスイッチ作動部材３２の窪み３２１に係合することにより、押圧されたコンタクト片３４の可動接点がコンタクト片３６の固定接点に当接する状態が、確実に保持されることとなる。
【００４８】
押圧されたコンタクト片３４の可動接点がコンタクト片３６の固定接点に当接すると同時に、図８（Ｃ）に示されるように、蓋部材２６の操作部２６６が図２（Ａ）においてＸ座標軸に沿った位置まで回動された後、図７（Ａ）に示されるように、その先端部が筐体９００の開口部９０１を通じて外部に突出せしめられる。
【００４９】
そして、図７（Ｂ）および図８（Ｄ）に示されるように、蓋部材２６の操作部２６６が操作者により把持されイジェクトレバー部材１６および第１のカード７００を伴って引き出される。その際、図１に示されるように、イジェクトレバー部材１６の連結部がスイッチ作動部材３２に対し離隔されても、押圧されたコンタクト片３４の可動接点がコンタクト片３６の固定接点に当接する状態が、確実に保持されることとなる。
【００５０】
これにより、第１のカード７００が、筐体９００の開口部９０１を通じて取り出し可能とされる。
【００５１】
なお、上述の例においては、筐体９００の開口部９０１は、外部に対し連通し開放しているが、斯かる例に限られることなく、例えば、図１０に示されるように、防滴カバー４０が開口部９０１を密封するように設けられてもよい。また、上述の例においては、蓋部材２６のロック部２６２が蓋部材２６の上面部に設けられ、第１のロック片１０８がカバー部材１１の上面部におけるカードスロット側の端部に一体に形成されているが、必ずしもこのようになされる必要はなく、例えば、図１１乃至図１３に示されるように、第１のロック片１０８に対応する鉤状の第１のロック片４２８が、カバー部材５０に設けられることなく、ベース部材４２の開口端部に一体に形成され、蓋部材２６のロック部２６２に対応するロック部４６２が選択的に第１のロック片４２８に係合するように、蓋部材４６の下部に設けられてもよい。
【００５２】
図１４、図１５（Ａ）および（Ｂ）は、それぞれ、本発明に係るスイッチ付きカードコネクタの他の一例の全体構成を概略的に示す。
【００５３】
図３に示される例においては、プリント基板１４の各実装面１４Ａおよび１４Ｂに対しそれぞれ、第１のカード７００または第２のカード８００をプリント基板１４を挟んで形成するように構成されている。一方、図１４、図１５（Ａ）および（Ｂ）に示される例は、その代わりに、第２のカード８００用カード収容部を形成するベース部材７２およびカバー部材７０がプリント基板ＰＢの実装面に実装されるもとで、ベース部材７２の上部に階層的に、第１のカード７００用カード収容部を形成するベース部材およびカバー部材６０が重ね合わされた構造を備えるものとされる。
【００５４】
図１５（Ａ）において、第２のカード８００用カード収容部内には、第２のカード８００の電極部に対応した間隔で複数のコンタクト端子７４が設けられている。また、図示が省略されるが、イジェクト機構がベース部材７２の底部に備えられている。イジェクト機構は、上述の例と同様な構成を有するものとされる。
【００５５】
第１のカード７００用カード収容部内には、第１のカード７００の電極部に対応した間隔で複数のコンタクト端子６４が設けられている。また、第１のカード７００用カード収容部内には、摺動可能に支持され第１のカード７００が搭載されるトレー部材６２が設けられている。
【００５６】
また、斯かる例においても、図示が省略されるが、上述の例と同様な、カード着脱操作検出スイッチ、スイッチ作動部材３２を備えている。さらに、カバー部材６０は、蓋部材６６のロック部６６２を選択的にロック状態またはアンロック状態とする第１のロック片６０２を上部に備えている。蓋部材６６は、カバー部材６０の側面部に支持されるレール部材６８に摺動可能に支持されている。また、蓋部材６６は、スイッチ作動部材３２に係合する係合部を有している。
【００５７】
なお、本発明に係るスイッチ付きカードコネクタおよびカードコネクタユニットの一例は、上述のＳＩＭカードまたはマイクロＳＤカードに限らず、メモリスティック（商標）、ＭＭＣ（ｍｕｌｔｉ  ｍｅｄｉａ  ｃａｒｄ）カード（商標）やＳＤ（ｓｅｃｕｒｅ  ｄｉｇｉｔａｌ）カードなどの各種カードについても利用可能である。
【符号の説明】
【００５８】
１０    第１のカードコネクタ
１１、５０    カバー部材
１２、４２    ベース部材
１６    イジェクトレバー部材
２０    第２のカードコネクタ
２６    蓋部材
３２    スイッチ作動部材
３４，３６    コンタクト片
１０６    第２のロック片
１０８、４２８    第１のロック片
２６２、４６２    ロック部
７００    ＳＩＭカード（第１のカード）
８００    マイクロＳＤカード（第２のカード）
【図１】
2013222690.tif 000003
【図２】
2013222690.tif 000004
【図３】
2013222690.tif 000005
【図４】
2013222690.tif 000006
【図５】
2013222690.tif 000007
【図６】
2013222690.tif 000008
【図７】
2013222690.tif 000009
【図８】
2013222690.tif 000010
【図９】
2013222690.tif 000011
【図１０】
2013222690.tif 000012
【図１１】
2013222690.tif 000013
【図１２】
2013222690.tif 000014
【図１３】
2013222690.tif 000015
【図１４】
2013222690.tif 000016
【図１５】
2013222690.tif 000017